(57)【要約】【課題】水中に投じてスイムさせたときに釣針が揺動しても、該釣針が本体に当たって音が発生したり、本体の塗装を傷付けたりすることがないようにして、ノンラトルタイプのルアーに強く反応して食い付く性質の魚をより確実に釣り上げることができるようにする。【解決手段】釣針保持具１３を介して本体１２に少なくとも１本の釣針２が取り付けられたルアーにおいて、釣針２の輪状のちもと２ｂが通され該釣針を前後及び左右方向に揺動可能に懸吊する釣針懸吊部１３ａが形成され釣針２が左右方向に揺動した際に本体１２に当たらないように該釣針２の揺動量を制限するストッパ部１３ｂが釣針懸吊部１３ａの左右にかつ該釣針懸吊部の全長と同等の長さに夫々形成された釣針保持具１３を備えた構成を特徴とする。【選択図】　　　　図８
2004024144.tif 000002
【特許請求の範囲】
【請求項１】
釣針保持具を介して本体に少なくとも１本の釣針が取り付けられたルアーにおいて、水中でスイムさせたときに前記釣針が前記本体に当たらないように該釣針の揺動量を制限する釣針保持具を備えたことを特徴とするルアー。
【請求項２】
釣針保持具を介して本体に少なくとも１本の釣針が取り付けられたルアーにおいて、前記釣針の輪状のちもとが通され該釣針を前後及び左右方向に揺動可能に懸吊する釣針懸吊部が形成され前記釣針が左右方向に揺動した際に前記本体に当たらないように該釣針の揺動量を制限するストッパ部が前記釣針懸吊部の左右にかつ該釣針懸吊部の全長と同等の長さに夫々形成された釣針保持具を備え、水中でスイムさせたときには前記釣針が前記本体に当たらない範囲で揺動可能に構成したことを特徴とするルアー。
【請求項３】
釣針保持具を介して本体に少なくとも１本の釣針が取り付けられたルアーにおいて、前記釣針の輪状のちもとが通され該釣針を前後及び左右方向に適度に揺動可能に懸吊するように前記本体との隙間を狭くすると共に前記ちもとの前後方向の移動量も制限するようにした釣針懸吊部が形成され前記釣針が左右方向に揺動した際に前記本体に当たらないように該釣針の揺動量を制限するストッパ部が前記釣針懸吊部の左右にかつ該釣針懸吊部の全長と同等の長さに夫々形成された釣針保持具を備え、水中でスイムさせたときには前記釣針が前記本体に当たらない範囲で揺動可能に構成したことを特徴とするルアー。
【請求項４】
本体に釣針を取り付けるための釣針保持具において、前記釣針の輪状のちもとが通され該釣針を前後及び左右方向に適度に揺動可能に懸吊するように前記本体との隙間を狭くすると共に前記ちもとの前後方向の移動量も制限するようにした釣針懸吊部を形成し、前記釣針が左右方向に揺動した際に前記本体に当たらないように該釣針の揺動量を制限するストッパ部を前記釣針懸吊部の左右にかつ該釣針懸吊部の全長と同等の長さに夫々形成したことを特徴とする釣針保持具。
【発明の詳細な説明】
【０００１】
【発明の属する技術分野】
本発明は、本体の内部に小さな金属球やガラス球が入っていないノンラトルタイプ（サイレントタイプ）のルアーに係り、特に水中に投じてスイムさせたときに釣針が揺動しても、該釣針が本体に当たって音が発生したり、本体の塗装を傷付けたりすることがなく、ノンラトルタイプのルアーに強く反応して食い付く性質の魚をより確実に釣り上げることができるようにしたルアーに関する。
【０００２】
【従来の技術】
ルアーには、本体内部に小さな金属球やガラス球（ラトル）を入れておき、本体の振動によって音が出るようにしたラトルタイプと、ラトルが入っておらず、本体から音が出ないノンラトルタイプ（サイレントタイプ）とがあり、釣りの対象となる魚の性質や釣り場の状態等を考慮して、適宜使い分けることができるようになっている。
【０００３】従来のノンラトルタイプのルアー１においては、釣針２を本体３に取り付けるために、図１７、図１９及び図２０に示すように、ヒートン４を本体３に埋め込んで、該ヒートン４にリング５を介して釣針２を取り付けたり、図１８に示すような、ダルマピン６を用いたりしていた。
【０００４】しかしこのようなルアー１では、釣針２の揺動量に制限がないため、図２０に示すように、水中でスイムさせた場合に釣針２が大きく揺動して針先２ａが本体３に当たってしまい、ノンラトルタイプであるにも拘わらず音が発生してしまうという欠点があった。
【０００５】また従来のノンラトルタイプのルアー８においては、釣針２を本体３に取り付けるために、図１２から図１７に示すような釣針保持具９も用いられていた。該釣針保持具９は、釣針懸吊部９ａの左右に翼状のストッパ部９ｂが一体的に形成され、釣針２の輪状のちもと２ｂを釣針懸吊部９ａに通した状態で、ねじ１０によってストッパ部９ｂの先端が本体３の後方を向くように該本体３に取り付けられているものであった。
【０００６】しかし釣針保持具９は、釣針懸吊部９ａと本体３との隙間が大きく、またストッパ部９ｂによってカバーされる釣針懸吊部９ａの左右の領域が狭いために、図１５から図１７に示すように、釣針２が前後及び左右（矢印Ａ及び矢印Ｂ方向）に大きく揺動して本体３に当たり、これによって音が発生したり、図１７に示すように、本体３の塗装に傷３ａを付けてしまうという問題があった。
【０００７】
【発明が解決しようとする課題】
本発明は、上記した従来技術の欠点を除くためになされたものであって、その目的とするところは、釣針保持具を介して本体に少なくとも１本の釣針が取り付けられたルアーにおいて、水中でスイムさせたときに釣針が本体に当たらないように該釣針の揺動量を制限する釣針保持具を備えることによって、釣針が本体に当たることによる音の発生や塗装の傷付きを未然に防止することであり、またこれによってノンラトルタイプ（サイレントタイプ）のルアーに強く反応して食い付く性質の魚をより確実に釣り上げることができるようにすると共に、ルアーが新品に近いきれいな状態でいつまでも使用できるようにすることである。
【０００８】また他の目的は、上記構成において、釣針の輪状のちもとが通され該釣針を前後及び左右方向に揺動可能に懸吊する釣針懸吊部が形成され釣針が左右方向に揺動した際に本体に当たらないように該釣針の揺動量を制限するストッパ部が釣針懸吊部の左右にかつ該釣針懸吊部の全長と同等の長さに夫々形成された釣針保持具を備え、水中でスイムさせたときには釣針が本体に当たらない範囲で揺動可能に構成することによって、ルアーの持つ本来のアクションを損なうことなく釣針の揺動を制限できるようにして、上記と同様釣り性能の向上と、ルアーが新品に近いきれいな状態でいつまでも使用できるようにすることである。
【０００９】更に他の目的は、上記構成において、釣針保持具における釣針のちもとの前後方向の移動量も制限するように構成することによって、釣針の前後方向の暴れによる音の発生を未然に防止し、上記と同様釣り性能の向上を図ることである。
【００１０】また他の目的は、釣針保持具を上記のように構成することによって、ルアー等の本体に釣針を取り付けた場合に、釣針が適度な範囲内で揺動するようにして、針先が本体に当たって傷が付いたり音が発生したりすることを未然に防止できるようにすることであり、またこれによって真に静粛性が高く長持ちするサイレントタイプのルアーを容易に製作できるようにすることである。
【００１１】
【課題を解決するための手段】
要するに本発明ルアー（請求項１）は、釣針保持具を介して本体に少なくとも１本の釣針が取り付けられたルアーにおいて、水中でスイムさせたときに前記釣針が前記本体に当たらないように該釣針の揺動量を制限する釣針保持具を備えたことを特徴とするものである。
【００１２】また本発明ルアー（請求項２）は、釣針保持具を介して本体に少なくとも１本の釣針が取り付けられたルアーにおいて、前記釣針の輪状のちもとが通され該釣針を前後及び左右方向に揺動可能に懸吊する釣針懸吊部が形成され前記釣針が左右方向に揺動した際に前記本体に当たらないように該釣針の揺動量を制限するストッパ部が前記釣針懸吊部の左右にかつ該釣針懸吊部の全長と同等の長さに夫々形成された釣針保持具を備え、水中でスイムさせたときには前記釣針が前記本体に当たらない範囲で揺動可能に構成したことを特徴とするものである。
【００１３】また本発明ルアー（請求項３）は、釣針保持具を介して本体に少なくとも１本の釣針が取り付けられたルアーにおいて、前記釣針の輪状のちもとが通され該釣針を前後及び左右方向に適度に揺動可能に懸吊するように前記本体との隙間を狭くすると共に前記ちもとの前後方向の移動量も制限するようにした釣針懸吊部が形成され前記釣針が左右方向に揺動した際に前記本体に当たらないように該釣針の揺動量を制限するストッパ部が前記釣針懸吊部の左右にかつ該釣針懸吊部の全長と同等の長さに夫々形成された釣針保持具を備え、水中でスイムさせたときには前記釣針が前記本体に当たらない範囲で揺動可能に構成したことを特徴とするものである。
【００１４】また本発明釣針保持具（請求項４）は、本体に釣針を取り付けるための釣針保持具において、前記釣針の輪状のちもとが通され該釣針を前後及び左右方向に適度に揺動可能に懸吊するように前記本体との隙間を狭くすると共に前記ちもとの前後方向の移動量も制限するようにした釣針懸吊部を形成し、前記釣針が左右方向に揺動した際に前記本体に当たらないように該釣針の揺動量を制限するストッパ部を前記釣針懸吊部の左右にかつ該釣針懸吊部の全長と同等の長さに夫々形成したことを特徴とするものである。
【００１５】
【発明の実施の形態】
以下本発明を図面に示す実施例に基いて説明する。本発明に係るルアー１１は、図１から図７において、本体１２と、釣針２と、釣針保持具１３とを備えている。
【００１６】本体１２は、図５に示すように、内部にラトルが入っていないノンラトルタイプ（サイレントタイプ）の擬似餌であり、例えば樹脂を成形して形成され、魚の目１２ａや鱗１２ｂを模した外観に塗装されている。
【００１７】本体１２の前端には、釣糸（図示せず）を結び付けるための金具１４が取り付けられ、後端には、ヒートン１５及びリング１６を介して釣針２が取り付けられている。本体１２の前部には、水中でのスイム時にルアー１１の浮き上がりを抑制し、独自のアクションを与えるための羽１２ｃが一体的に形成されている。
【００１８】釣針２は、一般にルアー用に用いられるトリプルフックであり、３箇所の針先２ａを有している。ルアー１１の前部及び後部には、釣針２が夫々取り付けられている。釣針２の数は、２本に限るものではなく、本体１３の長さによっては、更に多く取り付けてもよい。ちもと２ｂは輪状に形成されており、釣針２はちもと２ｂにリング１６や釣針保持具１３を通すことで、本体１２に取り付けられている。
【００１９】釣針保持具１３は、図１から図７に示すように、釣針２の輪状のちもと２ｂが通され該釣針２を前後及び左右方向に適度に揺動可能に懸吊するように本体１２との隙間を狭くすると共にちもと２ｂの前後方向の移動量も制限するようにした釣針懸吊部１３ａが形成され、釣針２が左右方向に揺動した際に本体１２に当たらないように該釣針２の揺動量を制限するストッパ部１３ｂが釣針懸吊部１３ａの左右にかつ該釣針懸吊部１３ａの全長と同等の長さに夫々形成されたものである。
【００２０】釣針保持具１３の両端には、ねじ１８を通すための穴１３ｃが夫々形成され、釣針保持具１３は、ねじ１８によって本体１２の前側下部に取り付けられている。また釣針保持具１３は、図１７に示す従来例と異なり、図６に示すように、ストッパ部１３ｂの先端が本体１２の前方を向くように取り付けられている。これはルアー１１をスイムさせると、釣針２は水圧によって後方に揺動することから、釣針２が本体１２に当たることを防ぐためには、後方への揺動量を制限する必要があるからである。
【００２１】釣針懸吊部１３ａには、図４に示すように、角度が付けられており、釣針２の前後方向の移動及び揺動を妨げることができるようになっている。ストッパ部１３ｂは釣針懸吊部１３ａの全長と同等の長さに形成されているので、ルアー１１のスイム時には、釣針２の左右方向の揺動によっては該釣針２が本体１２に当たることはないようになっている。
【００２２】なお、魚（図示せず）が掛かり、釣針２が釣針保持具１３のいずれかの部位に当接した状態で強い力が加わると、釣針２が変形してしまうおそれがある。このため、釣針保持具１３が、例えば一定以上の力により弾性変形するようにする等して、釣針２に強い力が加わった場合には、釣針２が本体１２に当たるまで揺動して逃げるようにし、釣針２の変形を防止するようにしてもよい。
【００２３】本発明は、上記のように構成されており、以下その作用について説明する。図５において、ルアー１１は、通常通り金具１４に釣糸を結び付けて用い、水中に投じた後適宜スイムさせて魚（図示せず）をおびき寄せる。
【００２４】スイムさせる際には、釣糸を任意の方向に引くことでその方向にルアー１１を動かすので、ルアー１１は基本的には前方に進む。このとき釣針２には、図８から図１１に示すように、水流によって前後方向（矢印Ｃ及び矢印Ｄ方向）及び左右方向（矢印Ａ及び矢印Ｂ方向）に揺動する。
【００２５】なお、ルアー１１は基本的に前方に進むので、前後方向の揺動のうち、前方向の揺動は少なく、後方向の揺動の方が多い。このため後側の釣針２については、ルアー１１が進むときには後方に引かれた状態となるので、ヒートン１５による取付けであっても針先２ａが本体１２に当たることはなく、問題は生じない。
【００２６】前側の釣針２は、釣針保持具１３によって取り付けられているので、ルアー１１本来のアクションを妨げない程度に、揺動が制限される。まず釣針懸吊部１３ａと本体１２との間の隙間が狭く形成されていることから、釣針２のちもと２ｂが前後左右にがたつくことがほとんどない。
【００２７】また左右方向（矢印Ａ及び矢印Ｂ方向）の揺動は、ちもと２ｂがストッパ部１３ｂに当接することで揺動量が制限され、スイム時に針先２ａが本体に当たることがない。
【００２８】後方向（矢印Ｄ方向）の揺動については、ストッパ部１３ｂの根本部分によって受け止められるので、針先２ａが本体１２に当たることがない。前方向（矢印Ｃ方向）の揺動については、輪状のちもと２ｂのがたつきがほとんどないことに加え、該ちもと２ｂがストッパ部１３ｂの先端付近に受け止められてしまうので、針先２ａが羽根１２ｃに当たることがない。
【００２９】このように釣針２の揺動量が制限されることから、針先２ａが本体１２に当たることによる音の発生はなく、塗装が傷付くこともない。またルアー１１の本来のアクションが損なわれることもない。これらのことから、ノンラトルタイプ本来の静粛性が確保され、魚（図示せず）に警戒心を与えることなく食い付かせることが可能となる。
【００３０】
【発明の効果】
本発明は、上記のように釣針保持具を介して本体に少なくとも１本の釣針が取り付けられたルアーにおいて、水中でスイムさせたときに釣針が本体に当たらないように該釣針の揺動量を制限する釣針保持具を備えたので、釣針が本体に当たることによる音の発生や塗装の傷付きを未然に防止することができ、またこの結果ノンラトルタイプ（サイレントタイプ）のルアーに強く反応して食い付く性質の魚をより確実に釣り上げることができるという効果があると共に、ルアーが新品に近いきれいな状態でいつまでも使用できるという効果がある。
【００３１】また上記構成において、釣針の輪状のちもとが通され該釣針を前後及び左右方向に揺動可能に懸吊する釣針懸吊部が形成され釣針が左右方向に揺動した際に本体に当たらないように該釣針の揺動量を制限するストッパ部が釣針懸吊部の左右にかつ該釣針懸吊部の全長と同等の長さに夫々形成された釣針保持具を備え、水中でスイムさせたときには釣針が本体に当たらない範囲で揺動可能に構成したので、ルアーの持つ本来のアクションを損なうことなく釣針の揺動を制限できる効果があり、上記と同様釣り性能の向上と、ルアーが新品に近いきれいな状態でいつまでも使用できるという効果が得られる。
【００３２】更には、上記構成において、釣針保持具における釣針のちもとの前後方向の移動量も制限するように構成したので、釣針の前後方向の暴れによる音の発生を未然に防止し得、上記と同様釣り性能の向上を図ることができる効果がある。
【００３３】また釣針保持具を上記のように構成したので、ルアー等の本体に釣針を取り付けた場合に、釣針が適度な範囲内で揺動し、針先が本体に当たって傷が付いたり音が発生したりすることを未然に防止できる効果があり、またこの結果真に静粛性が高く長持ちするサイレントタイプのルアーを容易に製作できる効果が得られる。
【図面の簡単な説明】
【図１】図１から図１１は、本発明の実施例に係り、図１は釣針保持具の斜視図である。
【図２】釣針保持具を下面側から見た斜視図である。
【図３】釣針保持具の平面図である。
【図４】釣針保持具の側面図である。
【図５】ルアーの側面図である。
【図６】ルアーの底面図である。
【図７】ルアーの部分縦断面正面図である。
【図８】釣針の左右方向の揺動量がストッパ部により制限されているルアーの使用状態を示す部分縦断面正面図である。
【図９】釣針の左方向の揺動量がストッパ部により制限されているルアーの使用状態を示す部分縦断面図である。
【図１０】釣針の右方向の揺動量がストッパ部により制限されているルアーの使用状態を示す部分縦断面図である。
【図１１】釣針の前後方向の揺動量がストッパ部により制限されているルアーの使用状態を示す部分拡大側面図である。
【図１２】図１２から図２０は、従来例に係り、図１２は釣針保持具の斜視図である。
【図１３】釣針保持具の平面図である。
【図１４】釣針保持具の側面図である。
【図１５】釣針の左右方向の揺動により針先が本体に当たっているルアーの使用状態を示す部分縦断面正面図である。
【図１６】釣針の左右方向の揺動により針先が本体に当たっているルアーの使用状態を示す部分縦断面正面図である。
【図１７】釣針が当たったことによって塗装に傷が付いたルアーの側面図である。
【図１８】ダルマピン及びリングの正面図である。
【図１９】ヒートン及びリングの側面図である。
【図２０】ヒートンを用いたルアーにおいて、釣針が左右に揺動して本体に当たっている状態を示す正面図である。
【符号の説明】
２　　釣針
２ｂ　ちもと
１１　　ルアー
１２　　本体
１３　　釣針保持具
１３ａ　釣針懸吊部
１３ｂ　ストッパ部
【図１】
2004024144.tif 000003
【図２】
2004024144.tif 000004
【図３】
2004024144.tif 000005
【図４】
2004024144.tif 000006
【図５】
2004024144.tif 000007
【図６】
2004024144.tif 000008
【図７】
2004024144.tif 000009
【図８】
2004024144.tif 000010
【図９】
2004024144.tif 000011
【図１０】
2004024144.tif 000012
【図１１】
2004024144.tif 000013
【図１２】
2004024144.tif 000014
【図１３】
2004024144.tif 000015
【図１４】
2004024144.tif 000016
【図１５】
2004024144.tif 000017
【図１６】
2004024144.tif 000018
【図１７】
2004024144.tif 000019
【図１８】
2004024144.tif 000020
【図１９】
2004024144.tif 000021
【図２０】
2004024144.tif 000022